(57)【要約】【課題】ＣＡＴＶでデジタル放送を再送信する場合に、送信局から視聴制御のための視聴制御情報を付加伝送することによって、デジタル放送を特定の受信機のみに受信させる視聴制御を行うことを可能とする、デジタル放送視聴制御方式及びその方法を提供する。【解決手段】デジタル放送信号を搬送するパケットのデータバイト部（パケットヘッダを除いたデータ部）を別のパケットのデータバイト部と入れ替える手段と、前記入れ替える手段によって入れ替えられたパケットのＰＩＤ（パケットＩＤ）に対する入替パターン情報を送信する手段とを、送信局に備え、自機の受信機識別番号を元に前記送信局でのＰＩＤに対する入替パターン情報を受信する手段と、受信したＰＩＤに対する入替パターン情報を元に番組選局を行う手段とを、受信機に備える。【選択図】      図１
2004260558.tif 000002
【特許請求の範囲】
【請求項１】
デジタル放送を再送信する場合に、送信局から視聴制御情報を付加伝送することによって受信機の視聴制御を行うデジタル放送視聴制御方式であって、
デジタル放送信号を搬送するパケットのデータバイト部（パケットヘッダを除いたデータ部）を別のパケットのデータバイト部と入れ替える手段と、前記入れ替える手段によって入れ替えられたパケットのＰＩＤ（パケットＩＤ）に対する入替パターン情報を送信する手段とを、前記送信局に備え、
自機の受信機識別番号を元に前記送信局でのＰＩＤに対する入替パターン情報を受信する手段と、受信したＰＩＤに対する入替パターン情報を元に番組選局を行う手段とを、前記受信機に備えることを特徴とするデジタル放送視聴制御方式。
【請求項２】
前記受信機の前記番組選局を行う手段は、前記ＰＩＤに対する入替パターン情報を元に入れ替えられた前記パケットのＰＩＤを取得して番組選局を行う、ことを特徴とする請求項１に記載のデジタル放送視聴制御方式。
【請求項３】
前記送信局は、前記デジタル放送信号のＴＳ（Ｔｒａｎｓｐｏｒｔ  Ｓｔｒｅａｍ）と前記ＰＩＤに対する入替パターン情報を視聴制御情報として送信する視聴制御情報ＴＳとを周波数多重して前記受信機に送信するようにした、ことを特徴とする請求項１或いは請求項２の何れか１項に記載のデジタル放送視聴制御方式。
【請求項４】
前記送信局は、前記デジタル放送信号のＴＳと前記ＰＩＤに対する入替パターン情報を視聴制御情報として送信する視聴制御情報ＴＳとを時分割多重して前記受信機に送信するようにした、ことを特徴とする請求項１或いは請求項２の何れか１項に記載のデジタル放送視聴制御方式。
【請求項５】
前記送信局の前記パケットのデータバイト部を別のパケットのデータバイト部と入れ替える手段は、入れ替えを行うパケットの数を任意のｍ個（ｍは正の整数）とすることが可能である、ことを特徴とする請求項１から請求項４の何れか１項に記載のデジタル放送視聴制御方式。
【請求項６】
前記送信局の前記パケットのデータバイト部を別のパケットのデータバイト部と入れ替える手段は、前記ＰＩＤに対する入替パターン情報を定期的に変更することが可能である、ことを特徴とする請求項１から請求項５の何れか１項に記載のデジタル放送視聴制御方式。
【請求項７】
デジタル放送を再送信する場合に、送信局から視聴制御情報を付加伝送することによって受信機の視聴制御を行うデジタル放送視聴制御方法であって、
前記送信局において、デジタル放送信号を搬送するパケットのデータバイト部（パケットヘッダを除いたデータ部）を別のパケットのデータバイト部と入れ替えるステップと、前記入れ替えるステップによって入れ替えられたパケットのＰＩＤ（パケットＩＤ）に対する入替パターン情報を送信するステップとを有し、
前記受信機において、自機の受信機識別番号を元に前記送信局でのＰＩＤに対する入替パターン情報を受信するステップと、受信したＰＩＤに対する入替パターン情報を元に番組選局を行うステップとを有する、ことを特徴とするデジタル放送視聴制御方法。
【請求項８】
前記受信機の前記番組選局を行うステップは、前記ＰＩＤに対する入替パターン情報を元に入れ替えられた前記パケットのＰＩＤを取得して番組選局を行う、ことを特徴とする請求項７に記載のデジタル放送視聴制御方法。
【請求項９】
前記送信局は、前記デジタル放送信号のＴＳ（Ｔｒａｎｓｐｏｒｔ  Ｓｔｒｅａｍ）と前記ＰＩＤに対する入替パターン情報を視聴制御情報として送信する視聴制御情報ＴＳとを周波数多重して前記受信機に送信するようにした、ことを特徴とする請求項７或いは請求項８の何れか１項に記載のデジタル放送視聴制御方法。
【請求項１０】
前記送信局は、前記デジタル放送信号のＴＳと前記ＰＩＤに対する入替パターン情報を視聴制御情報として送信する視聴制御情報ＴＳとを時分割多重して前記受信機に送信するようにした、ことを特徴とする請求項７或いは請求項８の何れか１項に記載のデジタル放送視聴制御方法。
【請求項１１】
前記送信局の前記パケットのデータバイト部を別のパケットのデータバイト部と入れ替えるステップにおいては、入れ替えを行うパケットの数を任意のｍ個（ｍは正の整数）とすることが可能である、ことを特徴とする請求項７から請求項１０の何れか１項に記載のデジタル放送視聴制御方法。
【請求項１２】
前記送信局の前記パケットのデータバイト部を別のパケットのデータバイト部と入れ替えるステップにおいては、前記ＰＩＤに対する入替パターン情報を定期的に変更することが可能である、ことを特徴とする請求項７から請求項１１の何れか１項に記載のデジタル放送視聴制御方法。
【発明の詳細な説明】
【０００１】
【発明の属する技術分野】
本発明はデジタル放送視聴制御方式及びその方法に関し、特に、ＣＡＴＶ（Ｃａｂｌｅ  Ｔｅｌｅｖｉｓｉｏｎ）でデジタル放送を再送信する場合に、デジタル放送を特定の受信機のみに受信させる視聴制御を行うことを可能とする、デジタル放送視聴制御方式及びその方法に関する。
【０００２】
【従来の技術】
ＣＡＴＶにおいては、通常、視聴者の受信機に対する視聴制御を行うことにより、契約者だけにＣＡＴＶを受信させるようになっている。
【０００３】
ＣＡＴＶの視聴制御の第１の例として、デジタル放送をケーブルテレビに再送信するケーブルテレビ再送信装置において、ＴＳ（Ｔｒａｎｓｐｏｒｔ  Ｓｔｒｅａｍ）形式のデジタルデータにＣＡＴＶ視聴者の契約情報をＣＡＴＶ契約制御情報として多重化して伝送し、受信装置において、前記ＣＡＴＶ契約制御情報を分離・復号して限定受信方式の復号可否を判断し、前記限定受信方式の復号可否の判断に応じて前記限定受信方式の鍵情報経路や鍵暗号復号器の動作を制限することにより、限定受信を実現しようとする例がある（例えば、特許文献１参照。）。
【０００４】
また、ＣＡＴＶの視聴制御の第２の例として、ＣＡＴＶにおいてデジタル放送を再送信する場合に、再送信するデジタル放送の視聴制御方式には何も手を加えることなく、送信局から視聴制御データを付加伝送することによって、受信機の視聴制御を行う方式がある。
【０００５】
この方式を用いた送信局の構成を図６に、受信機の構成を図７にそれぞれ示す。
【０００６】
図６における送信局３の分配器３１は、受信アンテナ（図示せず）で受信したデジタル放送波を分配または分岐し、ＴＳ／ＰＳＩ（Ｔｒａｎｓｐｏｒｔ  Ｓｔｒｅａｍ／Ｐｒｏｇｒａｍ  Ｓｐｅｃｉｆｉｃ  Ｉｎｆｏｒｍａｔｉｏｎ）変換器３２−１〜３２−ｎへ送出する。ＴＳ／ＰＳＩ変換器３２−１〜３２−ｎは、ＴＳ構成の再編成及び番組配列情報（以降、ＰＳＩ（Ｐｒｏｇｒａｍ  Ｓｐｅｃｉｆｉｃ  Ｉｎｆｏｒｍａｔｉｏｎ）情報と称するものとする）のＣＡＴＶ伝送用への付け替え等を行って伝送路変調器３４−１〜３４−ｎへ送出する。
【０００７】
送信局３の視聴制御装置３３は、ＣＡＴＶ加入者の契約情報を元に視聴を許可する受信機ＩＤに対して、契約情報を視聴制御情報としてＭＰＥＧ（Ｍｏｖｉｎｇ  Ｐｉｃｔｕｒｅ  Ｅｘｐｅｒｔｓ  Ｇｒｏｕｐ）規格のパケットにマッピングし、伝送路変調器３４−ｎ＋１へ送出する。
【０００８】
伝送路変調器３４−１〜３４−ｎは、ＴＳ／ＰＳＩ変換器３２−１〜３２−ｎから入力されるデジタル放送ＴＳを伝送路変調して混合器３５へ送出し、伝送路変調器３４−ｎ＋１は、視聴制御装置３３から入力される視聴制御情報ＴＳを伝送路変調して混合器３５へ送出する。混合器３５は、伝送路変調器３４（３４−１〜３４−ｎ、３４−ｎ＋１）からの入力信号を周波数多重して伝送路（図示せず）へ送出する。
【０００９】
図７における受信機４のチューナー４１は、伝送路（図示せず）からの入力信号を制御部４４の指示によって選局し、伝送路復調器４２へ送出する。伝送路復調器４２は、チューナー４１からの入力信号をＭＰＥＧ規格のＴＳに復調し、ＭＰＥＧ分離器４３へ送出する。
【００１０】
受信機４のＭＰＥＧ分離器４３は、制御部４４からの指示により、伝送路復調器４２より入力されたＴＳからデジタル放送ＴＳを抜き出し、ＰＳＩ情報を取得して、制御部４４へ送出する。また、ＭＰＥＧ分離器４３は、制御部４４からの指示により、伝送路復調器４２より入力されたＴＳから視聴制御情報ＴＳを抜き出し、視聴制御情報を取得して、制御部４４へ送出する。更に、ＭＰＥＧ分離器４３は、制御部４４からの指示により、伝送路復調器４２より入力されたＴＳからデジタル放送ＴＳを抜き出し、制御部４４から入力されるＰＩＤ（Ｐａｃｋｅｔ  ＩＤ）を元に番組要素情報を取得して、ＭＰＥＧ復号器４６へ送出する。
【００１１】
受信機４の制御部４４は、チューナー４１に対して選局を指示する。また、制御部４４は、自己の受信機ＩＤを元にＭＰＥＧ分離器４３から入力される視聴制御情報より契約情報を取得し、データ保持器４５へ格納する。更に、制御部４４は、データ保持器４５に格納されている契約情報により視聴が許可されていると判断した場合、ＭＰＥＧ分離器４３から入力されるＰＳＩ情報を元に選択すべきＰＩＤをＭＰＥＧ分離器４３へ送出し、番組要素情報をＭＰＥＧ復号器４６へ送出するよう指示する。但し、データ保持器４５に格納されている契約情報により視聴が許可されていないと判断した場合、ＭＰＥＧ分離器４３に対してＭＰＥＧ復号器４６への送出を停止するよう指示する。
【００１２】
受信機４のデータ保持器４５は、制御部４４の指示により、契約情報を格納する。また、データ保持器４５は、制御部４４の指示により、契約情報を制御部４４へ送出する。ＭＰＥＧ復号器４６は、ＭＰＥＧ分離器４３から入力される番組要素情報を映像、音声等の信号へ復号し、表示回路（図示せず）へ送出する。
【００１３】
【特許文献１】
特開２００１−３５２５３２号公報（第８−１２頁、図１）
【００１４】
【発明が解決しようとする課題】
上述した従来のＣＡＴＶの視聴制御の第１の例においては、ケーブルテレビ再送信装置や受信装置の構成が複雑化してしまうという課題を有している。
【００１５】
また、上述した従来のＣＡＴＶの視聴制御の第２の例においては、当該方式に対応していない（視聴制御情報を受信しない）、もしくは意図的に視聴制御情報を受信しないようにした受信機に対しては視聴を制限することはできず、未契約にもかかわらず視聴されてしまう可能性がある、という課題を有している。
【００１６】
そこで、本発明の目的は上記の課題を解消し、ＣＡＴＶでデジタル放送を再送信する場合に、送信局から視聴制御のための視聴制御情報を付加伝送することによって、デジタル放送を特定の受信機のみに受信させる視聴制御を行うことを可能とする、デジタル放送視聴制御方式及びその方法を提供することにある。
【００１７】
【課題を解決するための手段】
本発明のデジタル放送視聴制御方式は、デジタル放送を再送信する場合に、送信局から視聴制御情報を付加伝送することによって受信機の視聴制御を行うデジタル放送視聴制御方式であって、
デジタル放送信号を搬送するパケットのデータバイト部（パケットヘッダを除いたデータ部）を別のパケットのデータバイト部と入れ替える手段と、前記入れ替える手段によって入れ替えられたパケットのＰＩＤ（パケットＩＤ）に対する入替パターン情報を送信する手段とを、前記送信局に備え、
自機の受信機識別番号を元に前記送信局でのＰＩＤに対する入替パターン情報を受信する手段と、受信したＰＩＤに対する入替パターン情報を元に番組選局を行う手段とを、前記受信機に備えることを特徴とする。
【００１８】
また、前記受信機の前記番組選局を行う手段は、前記ＰＩＤに対する入替パターン情報を元に入れ替えられた前記パケットのＰＩＤを取得して番組選局を行う、ことを特徴とする。
【００１９】
さらに、前記送信局は、前記デジタル放送信号のＴＳ（Ｔｒａｎｓｐｏｒｔ  Ｓｔｒｅａｍ）と前記ＰＩＤに対する入替パターン情報を視聴制御情報として送信する視聴制御情報ＴＳとを周波数多重して前記受信機に送信するようにした、ことを特徴とする。
【００２０】
また、前記送信局は、前記デジタル放送信号のＴＳと前記ＰＩＤに対する入替パターン情報を視聴制御情報として送信する視聴制御情報ＴＳとを時分割多重して前記受信機に送信するようにした、ことを特徴とする。
【００２１】
さらに、前記送信局の前記パケットのデータバイト部を別のパケットのデータバイト部と入れ替える手段は、入れ替えを行うパケットの数を任意のｍ個（ｍは正の整数）とすることが可能である、ことを特徴とする。
【００２２】
また、前記送信局の前記パケットのデータバイト部を別のパケットのデータバイト部と入れ替える手段は、前記ＰＩＤに対する入替パターン情報を定期的に変更することが可能である、ことを特徴とする。
【００２３】
本発明のデジタル放送視聴制御方法は、デジタル放送を再送信する場合に、送信局から視聴制御情報を付加伝送することによって受信機の視聴制御を行うデジタル放送視聴制御方法であって、
前記送信局において、デジタル放送信号を搬送するパケットのデータバイト部（パケットヘッダを除いたデータ部）を別のパケットのデータバイト部と入れ替えるステップと、前記入れ替えるステップによって入れ替えられたパケットのＰＩＤ（パケットＩＤ）に対する入替パターン情報を送信するステップとを有し、
前記受信機において、自機の受信機識別番号を元に前記送信局でのＰＩＤに対する入替パターン情報を受信するステップと、受信したＰＩＤに対する入替パターン情報を元に番組選局を行うステップとを有する、ことを特徴とする。
【００２４】
また、前記受信機の前記番組選局を行うステップは、前記ＰＩＤに対する入替パターン情報を元に入れ替えられた前記パケットのＰＩＤを取得して番組選局を行う、ことを特徴とする。
【００２５】
さらに、前記送信局は、前記デジタル放送信号のＴＳ（Ｔｒａｎｓｐｏｒｔ  Ｓｔｒｅａｍ）と前記ＰＩＤに対する入替パターン情報を視聴制御情報として送信する視聴制御情報ＴＳとを周波数多重して前記受信機に送信するようにした、ことを特徴とする。
【００２６】
また、前記送信局は、前記デジタル放送信号のＴＳと前記ＰＩＤに対する入替パターン情報を視聴制御情報として送信する視聴制御情報ＴＳとを時分割多重して前記受信機に送信するようにした、ことを特徴とする。
【００２７】
さらに、前記送信局の前記パケットのデータバイト部を別のパケットのデータバイト部と入れ替えるステップにおいては、入れ替えを行うパケットの数を任意のｍ個（ｍは正の整数）とすることが可能である、ことを特徴とする。
【００２８】
また、前記送信局の前記パケットのデータバイト部を別のパケットのデータバイト部と入れ替えるステップにおいては、前記ＰＩＤに対する入替パターン情報を定期的に変更することが可能である、ことを特徴とする。
【００２９】
【発明の実施の形態】
次に、本発明の実施の形態について図面を参照して説明する。
【００３０】
本発明のデジタル放送視聴制御方式及びその方法は、ＣＡＴＶ（Ｃａｂｌｅ  Ｔｅｌｅｖｉｓｉｏｎ）でデジタル放送を再送信する場合において、送信局側にてデジタル放送信号を搬送するパケットのパケットヘッダ部を除いたデータ部（以降、「データバイト部」と呼ぶ）を、別のパケットのデータバイト部と入れ替え、その入れ替え情報（以降、「ＰＩＤに対する入替パターン情報」と呼ぶ）を受信機識別番号（以降、「受信機ＩＤ」と呼ぶ）を元に特定の受信機のみに受信させることにより、受信機の視聴制御を行えるようにしたことを特徴とするものである。従って、以降の説明においては上述の用語を用いるものとする。
【００３１】
図１は、本発明のデジタル放送視聴制御方式における送信局の一実施形態を示すブロック図である。
【００３２】
図１に示す本実施の形態において、送信局１は、分配器１１と、ＴＳ／ＰＳＩ（Ｔｒａｎｓｐｏｒｔ  Ｓｔｒｅａｍ／Ｐｒｏｇｒａｍ  Ｓｐｅｃｉｆｉｃ  Ｉｎｆｏｒｍａｔｉｏｎ）変換器１２−１〜１２−ｎと、データバイト部入替器１３−１〜１３−ｎと、入替制御器１４と、視聴制御装置１５と、伝送路変調器１６−１〜１６−ｎ、１６−ｎ＋１と、混合器１７と、から構成されている。
【００３３】
送信局１において、分配器１１は、受信アンテナ（図示せず）で受信したデジタル放送波を分配または分岐し、ＴＳ／ＰＳＩ変換器１２−１〜１２−ｎへ送出する。ＴＳ／ＰＳＩ変換器１２−１〜１２−ｎは、ＴＳ（Ｔｒａｎｓｐｏｒｔ  Ｓｔｒｅａｍ）構成の再編成および番組配列情報（以降、ＰＳＩ（Ｐｒｏｇｒａｍ  Ｓｐｅｃｉｆｉｃ  Ｉｎｆｏｒｍａｔｉｏｎ）情報と称するものとする）のＣＡＴＶ伝送用への付け替え等を行って、データバイト部入替器１３−１〜１３−ｎへ送出する。
【００３４】
データバイト部入替器１３−１〜１３−ｎは、入替制御器１４の指示により、ＴＳ／ＰＳＩ変換器１２−１〜１２−ｎから入力されるＴＳ内の番組要素情報を搬送するパケットのデータバイト部を、異なるパケット識別番号（以降、ＰＩＤ（Ｐａｃｋｅｔ  ＩＤ）と称するものとする）のパケットのデータバイト部と入れ替え（例えば、ＰＩＤ＝１のパケットのデータバイト部はＰＩＤ＝２のパケットへ、ＰＩＤ＝２のパケットのデータバイト部はＰＩＤ＝１のパケットへ入れ替える等）、入れ替えを行ったパケットのパケットヘッダのトランスポート・スクランブリング・コントロール（以降、スクランブルフラグと称するものとする）領域に入れ替えを行ったことを記述して、伝送路変調器１６−１〜１６−ｎへ送出する。また、データバイト部入替器１３−１〜１３−ｎは、ＴＳ／ＰＳＩ変換器１２−１〜１２−ｎからの入力ＴＳに含まれるパケットのＰＩＤを把握し、そのＰＩＤ情報を入替制御器１４へ送出する。
【００３５】
入替制御器１４は、データバイト部入替器１３−１〜１３−ｎより入力されたＰＩＤ情報を元に、データバイト部入替器１３−１〜１３−ｎに対して、ＰＩＤの入れ替えパターンを指示する。また、入替制御器１４は、データバイト部入替器１３−１〜１３−ｎに指示したＰＩＤに対する入替パターン情報を、視聴制御装置１５へ送出する。
【００３６】
視聴制御装置１５は、ＣＡＴＶ加入者の契約情報を元に視聴を許可する受信機ＩＤに対して、入替制御器１４から入力されたＰＩＤに対する入替パターン情報を視聴制御情報としてＭＰＥＧ（Ｍｏｖｉｎｇ  Ｐｉｃｔｕｒｅ  Ｅｘｐｅｒｔｓ  Ｇｒｏｕｐ）規格のパケットにマッピングし、定期的に（例えば、１秒に１回等）伝送路変調器１６−ｎ＋１へ送出する。
【００３７】
伝送路変調器１６−１〜１６−ｎは、データバイト部入替器１３−１〜１３−ｎから入力されるデータバイト部の入れ替え処理が施されたデジタル放送ＴＳを伝送路変調して混合器１７へ送出し、伝送路変調器１６−ｎ＋１は、視聴制御装置１５から入力される視聴制御情報ＴＳを伝送路変調して混合器１７へ送出する。
【００３８】
混合器１７は、伝送路変調器１６−１〜１６−ｎ、１６−ｎ＋１からの入力信号を周波数多重し、伝送路（図示せず）へ送出する。
【００３９】
図２は、本発明のデジタル放送視聴制御方式における受信機の一実施形態を示すブロック図である。
【００４０】
図２に示す受信機２は、チューナー２１と、伝送路復調器２２と、ＭＰＥＧ分離器２３と、制御部２４と、データ保持器２５と、ＭＰＥＧ復号器２６と、から構成されている。
【００４１】
受信機２において、チューナー２１は、伝送路（図示せず）からの入力信号を制御部２４の指示によって選局し、伝送路復調器２２へ送出する。伝送路復調器２２は、チューナー２１からの入力信号をＭＰＥＧ規格のＴＳに復調し、ＭＰＥＧ分離器２３へ送出する。
【００４２】
ＭＰＥＧ分離器２３は、制御部２４からの指示により、伝送路復調器２２より入力されたＴＳからデジタル放送ＴＳを抜き出し、ＰＳＩ情報を取得して、制御部２４へ送出する。また、ＭＰＥＧ分離器２３は、制御部２４からの指示により、伝送路復調器２２より入力されたＴＳから視聴制御情報ＴＳを抜き出し、視聴制御情報を取得して、制御部２４へ送出する。更に、ＭＰＥＧ分離器２３は、制御部２４からの指示により、伝送路復調器２２より入力されたＴＳからデジタル放送ＴＳを抜き出し、制御部２４から入力されるＰＩＤを元に番組要素情報を取得して、ＭＰＥＧ復号器２６へ送出する。
【００４３】
制御部２４は、チューナー２１に対して選局を指示する。また、制御部２４は、自己の受信機ＩＤを元にＭＰＥＧ分離器２３から入力される視聴制御情報よりＰＩＤに対する入替パターン情報を取得し、データ保持器２５へ格納する。更に、制御部２４は、ＭＰＥＧ分離器２３に入力されるパケットのパケットヘッダのスクランブルフラグ領域を監視し、データバイト部が入れ替えられたパケットを検出した場合、データ保持器２５に格納されているＰＩＤに対する入替パターン情報を元に、取得すべきパケットのＰＩＤを、ＰＳＩ情報に記述されているＰＩＤから読み替えて、ＭＰＥＧ分離器２３に対して番組要素情報をＭＰＥＧ復号器２６へ送出するよう指示する。但し、データ保持器２５にＰＩＤに対する入替パターン情報が格納されていない場合は、未契約であると判断し、ＭＰＥＧ分離器２３に対してＭＰＥＧ復号器２６への送出を停止するよう指示する。
【００４４】
データ保持器２５は、制御部２４の指示により、ＰＩＤに対する入替パターン情報を格納する。また、データ保持器２５は、制御部２４の指示により、ＰＩＤに対する入替パターン情報を制御部２４へ送出する。ＭＰＥＧ復号器２６は、ＭＰＥＧ分離器２３から入力される番組要素情報を映像、音声等の信号へ復号し、表示回路（図示せず）へ送出する。
【００４５】
視聴を許可されない受信機は、ＰＩＤに対する入替パターン情報を取得できないため、ＰＳＩ情報に記述されているＰＩＤのままでＴＳ選択処理を行うため、、正常に番組選局を行うことができない。
【００４６】
また、データバイト部の入れ替えを行うパケットの数をｍ個とすると、ＰＩＤの入れ替えパターン数の理論値は［ｍ！−１］個（データバイト部の入れ替えを行うパケットを５個とすると１１９パターン、データバイト部の入れ替えを行うパケットを１０個とすると３６２８７９９パターン）となり、更に、ＰＩＤに対する入替パターン情報を定期的に変更するようにすることで、ＰＩＤに対する入替パターン情報を不正に生成して視聴しようと試みても成功することは極めて困難である。
【００４７】
なお、ここで、図１、図２に示した本実施形態におけるＰＩＤに対する入替パターン情報の送出方法について、補足説明を行っておく。
【００４８】
送信局１からの、ＰＩＤに対する入替パターン情報の送出方法は、秘密鍵として視聴を許可する受信機ＩＤ宛てに個別に送出する方法（前者の方法と称するものとする）でもよいし、公開鍵として１つを全ての受信機宛てに送出し、かつ視聴を許可する受信機ＩＤ宛てに契約情報を個別に送出する方法（後者の方法と称するものとする）でもよい。後者の方法における受信機は、契約情報を受信している場合のみ、受信したＰＩＤに対する入替パターン情報を有効とし、契約情報を受信していない場合は、受信したＰＩＤに対する入替パターン情報を無効とする。
【００４９】
前者の方法においては、図１のデータバイト部入替器１３でＰＩＤの入れ替えパターンを変更した場合、視聴を許可されている受信機２は変更されたＰＩＤに対する入替パターン情報を受信するまでの間、視聴できなくなってしまう。これを回避するために、以下のような工夫を行っている。
【００５０】
第１の回避策は、視聴を許可する受信機ＩＤ宛てに複数のＰＩＤに対する入替パターン情報を送出し、データバイト部入替器１３は送出している複数のＰＩＤに対する入替パターン情報の内、１つのパターンに従ってデータバイト部を変更する。但し、パケットヘッダのスクランブルフラグ領域のデータ量は２ビット（例えば、００＝入れ替えなし、０１＝パターン１、１０＝パターン２、１１＝パターン３）なので、同時に送出できるＰＩＤに対する入替パターン情報の数は最大３つとなる。
【００５１】
第２の回避策は、データバイト部入替器１３でＰＩＤの入れ替えパターンを変更しようとする前に、一旦データバイト部入替器１３での入れ替えを停止し（全てのパケットについて、パケットヘッダのスクランブルフラグ領域にデータバイト部の入れ替えが行われていないことが記述されている状態）、変更しようとするＰＩＤに対する入替パターン情報を、視聴を許可する全ての受信機ＩＤ宛てに送出し終えてから、データバイト部入替器１３での入れ替えを再開するようにする。
【００５２】
また、後者の方法においては、ＰＩＤに対する入替パターン情報は全ての受信機宛てに同時に送出できるので、前者の方法に比べてＰＩＤに対する入替パターン情報をより容易に、より短周期に変更できるのでセキュリティの信頼性が高いものとなる。
【００５３】
次に、図２の受信機２が、図１の送信局１より伝送されるＰＩＤに対する入替パターン情報を元に取得すべきパケットのＰＩＤを読み替えて、番組選択を行う際の動作について、図３に示すフローチャート及び図４のＰＭＴ（Ｐｒｏｇｒａｍ  Ｍａｐ  Ｔａｂｌｅ）のデータ構造を示す図を参照して説明する。
【００５４】
図３は、本実施形態の受信機の動作を説明するフローチャートである。
【００５５】
図２の受信機２の制御部２４は、ＭＰＥＧ分離器２３に指示してＰＳＩ情報のＰＡＴ（Ｐｒｏｇｒａｍ  Ａｓｓｏｃｉａｔｉｏｎ  Ｔａｂｌｅ）を取得し（図３のステップＡ１）、取得したＰＡＴから選択すべき番組が現在受信しているＴＳ（以降、自ＴＳと称するものとする）に存在するか否かを判断する（図３のステップＡ２）。
【００５６】
選択すべき番組が自ＴＳに存在しない場合（ステップＡ２でＮＯ）、制御部２４は、ＭＰＥＧ分離器２３に指示してＰＳＩ情報のＮＩＴ（Ｎｅｔｗｏｒｋ  Ｉｎｆｏｒｍａｔｉｏｎ  Ｔａｂｌｅ）を取得し、選択すべき伝送チャンネル情報を得る（図３のステップＡ３）。制御部２４は、この情報を元にチューナー２１へ指示して伝送チャンネルの移動（選局）を行い（図３のステップＡ４）、ＭＰＥＧ分離器２３に指示してＰＳＩ情報のＰＡＴを取得する（図３のステップＡ５）。
【００５７】
選択すべき番組が自ＴＳに存在する場合（ステップＡ２でＹＥＳ）、もしくは伝送チャンネル移動先のＰＡＴを取得した（ステップＡ５）後に、制御部２４は、ＰＳＩ情報のＰＡＴを元にＭＰＥＧ分離器２３に指示して、ＰＳＩ情報のＰＭＴを取得し（図３のステップＡ６）、更にＰＭＴを元に選択すべき番組の番組要素情報を搬送するパケットのＰＩＤを取得する（図３のステップＡ７）。
【００５８】
ここで、ＰＭＴのデータ構造は図４に示す通りである。デジタルテレビ放送において、受信機側では希望するデータグループのＴＳパケットをＰＩＤによって抽出して復号する。ＰＩＤの抽出はＭＰＥＧ−２システムに準拠した伝送制御信号すなわちＰＳＩ情報による間接指定方式によっている。
【００５９】
ＰＳＩ情報としてはＮＩＴ、ＰＡＴ、ＰＭＴ、ＣＡＴ（Ｃｏｎｄｉｔｉｏｎａｌ  Ａｃｃｅｓｓ  Ｔａｂｌｅ）の４信号があり、それぞれ別個のＴＳパケットで伝送される。なお、ＰＳＩ情報に関しては、ＰＭＴ以外はＰＩＤを固定的に割り付けた直接指定方式が採用されている。
【００６０】
ＮＩＴはネットワークを構成している全伝送チャンネルの周波数、衛星の軌道位置、変調方式等の送信情報と各チャンネル毎の番組番号の情報である。この場合、ネットワークは同一軌道、同一周波数帯の衛星放送チャンネルで構成されるグループである。また、番組番号は個々の放送番組の集合に付与される番号で、例えば地上放送でのチャンネルに相当する。
【００６１】
ＰＡＴはそれが伝送されている伝送チャンネルでの、番組番号とそれに関係するＰＭＴのＰＩＤとの対応情報であり、ＰＭＴは番組を構成するデータグループが伝送されているＴＳのＰＩＤ指定であり、ＣＡＴは有料放送に関連する情報である。
【００６２】
制御部２４は、取得したＰＩＤのパケットのパケットヘッダのスクランブルフラグ領域を確認し、パケットのデータバイト部が入れ替えられているか否かを判定し（図３のステップＡ８）、パケットのデータバイト部が入れ替えられていないと判断した場合は（ステップＡ８でＮＯ）、取得したＰＩＤをＭＰＥＧ分離器２３へ送出し（図３のステップＡ１０へ進む）、パケットのデータバイト部が入れ替えられていると判断した場合は（ステップＡ８でＹＥＳ）、データ保持器２５に格納されているＰＩＤに対する入替パターン情報を元に入れ替え先のパケットのＰＩＤを取得し（図３のステップＡ９）、取得したＰＩＤをＭＰＥＧ分離器２３へ送出する（図３のステップＡ１０へ進む）。
【００６３】
ＭＰＥＧ分離器２３は、制御部２４から入力されたＰＩＤを元に番組要素情報を取得し、ＭＰＥＧ復号器２６へ送出する（図３のステップＡ１０）。ＭＰＥＧ復号器２６は、入力された番組要素情報を映像、音声等の信号へ復号して表示回路へ送出する（図３のステップＡ１１）。
【００６４】
従来、再送信するデジタル放送の視聴制御方式には何も手を加えることなく、送信局から視聴制御情報を付加伝送することにより受信機の視聴制御を行う方式の場合、その視聴制御情報を受信しない受信機に対しては視聴を制限することはできず、未契約にもかかわらず視聴されてしまう可能性がある。
【００６５】
これに対し、本実施形態においては、上述したように、パケットのデータバイト部を入れ替えることで、本方式に対応しない（本方式の視聴制御情報を受信しない）受信機に対して視聴を禁止することができる。
【００６６】
また、受信機２側での構成を変更することなく、処理ソフトウェアの変更は微少であるため、コストインパクトが極めて小さい。さらに、ＰＩＤの入れ替えパターンを定期的に変更することで、そのセキュリティの向上を図ることができる。またさらに、データバイト部の入れ替えを行うパケットの数を増加させることで、更なるセキュリティの向上を図ることができる。さらにまた、別の視聴制御方式と併用することで、一層のセキュリティ向上を図ることができる。
【００６７】
したがって、本実施形態によれば、視聴制御情報を受信することができない受信機に対しても視聴を制限することができ、未契約にもかかわらず視聴することができてしまう可能性をなくすことができる。
【００６８】
一方、本発明において、送信局１側の混合器１７でのデジタル放送ＴＳと視聴制御情報ＴＳの多重方法については周波数多重の他に、時分割多重も考えられる。
【００６９】
伝送チャンネル内の単位時間当たりのデジタル放送ＴＳデータ量が、単位時間当たりのＣＡＴＶ伝送容量より小さい場合、デジタル放送ＴＳデータと視聴制御情報ＴＳデータを時間的に区切って交互に伝送することで、同一伝送チャンネル内に多重化することができる。
【００７０】
この場合、視聴制御情報ＴＳ用に周波数を割り当てる必要がないので、周波数帯域を有効に利用することができる。また、視聴制御情報ＴＳが伝送チャンネル内に多重化されているので、受信機２では選局動作を行うことなく、視聴制御情報ＴＳを取得することができる。
【００７１】
次に、図５を参照して、本発明の第２の実施形態について説明する。
【００７２】
図５は、本発明のデジタル放送視聴制御方式における送信局の第２の実施形態を示すブロック図である。
【００７３】
本発明の第２の実施形態は、送信局において、異なるネットワークからのデジタル放送を多重して再送信する場合の構成を示すものであり、従って、図５において図１に示す構成要素に対応するものは同一の参照数字または符号を付し、その説明を省略するものとする。また、受信機の構成は図２に示したものと全く同一であるため、受信機の構成及び動作についての説明も省略するものとする。
【００７４】
図５に示す第２の実施形態において、送信局１−１は、ＴＳ／ＰＳＩ変換器１２−１〜１２−ｋと、多重化器１９と、データバイト部入替器１３と、入替制御器１４と、視聴制御装置１５と、伝送路変調器１６と、から構成されている。
【００７５】
ＴＳ／ＰＳＩ変換器１２−１〜１２−ｋは、各々異なるネットワークのデジタル放送波を受信アンテナ（図示せず）或いはＶＴＲ（Ｖｉｄｅｏ  Ｔａｐｅ  Ｒｅｃｏｒｄｅｒ）機器などの外部入力（図示せず）から受信し、ＴＳ構成の再編成およびＰＳＩ情報のＣＡＴＶ伝送用への付け替え等を行って、多重化器１９へ送出する。
【００７６】
多重化器１９は、ＴＳ／ＰＳＩ変換器１２−１〜１２−ｋから入力されるデジタル放送ＴＳ、および視聴制御装置１５から入力される視聴制御情報ＴＳを時分割多重し、データバイト部入替器１３へ出力する。
【００７７】
データバイト部入替器１３は、入替制御器１４からの指示により、多重化器１９から入力されるＴＳ内の番組要素情報を搬送するパケットのデータバイト部を、異なるＰＩＤのパケットのデータバイト部と入れ替え、入れ替えを行ったパケットのパケットヘッダのスクランブルフラグ領域に入れ替えを行ったことを記述して、伝送路変調器１６へ送出する。
【００７８】
伝送路変調器１６は、データバイト部入替器１３から入力されるパケットのデータバイト部の入れ替えが施されたデジタル放送ＴＳ、および視聴制御情報ＴＳを伝送路変調して、伝送路（図示せず）へ送出する。
【００７９】
なお、送信局１−１における入替制御器１４のデータバイト部入替器１３に対する制御方法、視聴制御装置１５の視聴制御情報の生成／挿入方法、および受信機２については、第１の実施形態と同様であるため、これ以上の説明を省略するものとする。
【００８０】
このように、本発明の第２の実施形態においては、複数のネットワークからのデジタル放送ＴＳを時分割多重してから、パケットのデータバイト部を入れ替えているので、異なるネットワークのデジタル放送を再送信する場合にも、第１の実施形態で示したと同様の視聴制御方式を適用できるものとなる。
【００８１】
【発明の効果】
以上説明したように、本発明のデジタル放送視聴制御方式及びその方法は、ＣＡＴＶでデジタル放送を再送信する場合に、送信局側にてデジタル放送信号を搬送するパケットのデータバイト部を、別のパケットのデータバイト部と入れ替え、その入れ替え情報すなわちＰＩＤに対する入替パターン情報を視聴制御情報として、受信機ＩＤを元に特定の受信機のみに受信させことができるので、デジタル放送を特定の受信機のみに受信させる視聴制御を行うことが可能となり、本発明の視聴制御情報を受信しない受信機に対して視聴を禁止することが可能となる、という効果を有している。
【図面の簡単な説明】
【図１】本発明のデジタル放送視聴制御方式における送信局の一実施形態を示すブロック図である。
【図２】本発明のデジタル放送視聴制御方式における受信機の一実施形態を示すブロック図である。
【図３】本実施形態の受信機の動作を説明するフローチャートである。
【図４】ＰＭＴのデータ構造を示す図である。
【図５】本発明のデジタル放送視聴制御方式における送信局の第２の実施形態を示すブロック図である。
【図６】従来例による送信局の構成を示すブロック図である。
【図７】従来例による受信機の構成を示すブロック図である。
【符号の説明】
１    送信局
１−１    送信局
１１    分配器
１２    ＴＳ／ＰＳＩ変換器
１３    データバイト部入替器
１４    入替制御器
１５    視聴制御装置
１６    伝送路変調器
１７    混合器
１９    多重化器
２    受信機
２１    チューナー
２２    伝送路復調器
２３    ＭＰＥＧ分離器
２４    制御部
２５    データ保持器
２６    ＭＰＥＧ復号器
３    送信局
３１    分配器
３２    ＴＳ／ＰＳＩ変換器
３３    視聴制御装置
３４    伝送路変調器
３５    混合器
４    受信機
４１    チューナー
４２    伝送路復調器
４３    ＭＰＥＧ分離器
４４    制御部
４５    データ保持器
４６    ＭＰＥＧ復号器
【図１】
2004260558.tif 000003
【図２】
2004260558.tif 000004
【図３】
2004260558.tif 000005
【図４】
2004260558.tif 000006
【図５】
2004260558.tif 000007
【図６】
2004260558.tif 000008
【図７】
2004260558.tif 000009